(57)【要約】【課題】筐体内部のファンを利用して筐体の天面の埃を吸着除去でき、電波妨害等の恐れもない電子機器装置を提供する。【解決手段】筐体３の内部に、外気を筐体３の内部に吸気して筐体３の外部に排気するファン５を備えた電子機器装置において、ファン５によって外気を筐体３の内部に吸気する吸気通路１３の偏平な先端開口部を前記筐体３の天面に設け、この先端開口部にフィルタ部材７を装着した構成とする。ファン５を回すと、筐体３の天面に溜まっている埃が外気と共に吸気通路１３の先端開口部に吸い寄せられて、先端開口部のフィルタ部材７に吸着されるので、筐体３の天面から埃が除去され、周囲に飛散することはない。また、筐体３の天板の裏面に絶縁部材を介して帯電手段を設けていないため、帯電手段による電波妨害の恐れやコストアップを招くこともない。【選択図】図２
2014002809.tif 000002
【特許請求の範囲】
【請求項１】
筐体の内部にファンを有する電子機器装置であって、
前記ファンによって前記筐体の内部に外気を吸気するために先端に開口部を有する吸気通路と、
前記開口部に装着されたフィルタ部材とを備え、
前記開口部は、前記筐体の天面に設けられることを特徴とする、電子機器装置。
【請求項２】
前記筐体の天面の一辺沿いに、該一辺の両端の相対向する二辺間に亘って前記吸気通路の偏平な開口部を設けたことを特徴とする、請求項１に記載の電子機器装置。
【請求項３】
前記吸気通路の偏平な開口部と平行する集埃用の凹部を、前記筐体の天面における前記開口部の直前ないし直下部分に設けたことを特徴とする、請求項１又は請求項２に記載の電子機器装置。
【請求項４】
前記集埃用の凹部に溝型トレイを脱着可能に設けたことを特徴とする、請求項３に記載の電子機器装置。
【発明の詳細な説明】
【技術分野】
【０００１】
本発明は筐体の内部にファンを備えた電子機器装置に関し、更に詳しくは、このファンを利用して筐体の天面の埃を吸着除去することにより、筐体の天面に埃が溜まり難くなるように改良した電子機器装置に関する。
【背景技術】
【０００２】
本出願人は、筐体の内部にファンを備えた電子機器装置において、電源をオフしたときにファンを所定時間、逆回転させ、筐体内部の空気を筐体の天面に沿って排気することにより、筐体の天面の埃を飛ばして埃が天面に溜まり難くなるようにした電子機器装置を提案している（特許文献１）。
【０００３】
また、筐体の前面の吸気孔にフィルタユニット取り付けて冷却風の埃を除去する光ディスク装置（特許文献２）や、筐体の後面に取り付けた冷却ファンを粘着剤で被覆して冷却風の埃を粘着除去する光記録再生装置（特許文献３）や、装置の前面に形成した空気ダクトの開口にフィルタを設けて冷却風の埃を除去する光ディスク駆動装置（特許文献４）なども知られている。
【先行技術文献】
【特許文献】
【０００４】
【特許文献１】特開２０１１−１８８２７号公報
【特許文献２】特開平７−１８２８４５号公報
【特許文献３】特開平５−２９８８７３号公報
【特許文献４】特開平５−２１７３５９号公報
【発明の概要】
【発明が解決しようとする課題】
【０００５】
しかしながら、上記特許文献１の電子機器装置は、筐体内部のファンを逆回転させて筐体内部の空気を筐体の天面に沿って排気することにより、筐体の天面の埃を飛ばすものであるから、最終的には、電子機器装置の周囲に飛散した埃を集めて除去することが必要になる。また、この電子機器装置は、筐体の天板の裏面に絶縁部材を介して帯電手段を設け、天板を一時的に帯電させて集埃するようにしているため、帯電手段による電波妨害の恐れがあり、コストアップも招くことになる。
【０００６】
一方、上記特許文献２〜４の各装置は、筐体内部に取り込む冷却風の埃を除去することはできても、筐体の天面に溜まる埃を除去することはできない。
【０００７】
本発明は上記事情の下になされたもので、その解決しようとする課題は、筐体内部のファンを利用して筐体の天面の埃を吸着除去することができ、電波妨害等の恐れもない電子機器装置を提供することにある。
【課題を解決するための手段】
【０００８】
上記課題を解決するため、本発明は、筐体の内部にファンを有する電子機器装置であって、ファンによって筐体の内部に外気を吸気するために先端に開口部を有する吸気通路と、開口部に装着されたフィルタ部材とを備え、開口部は、筐体の天面に設けられることを特徴とする。
【０００９】
本発明の電子機器装置にあっては、筐体の天面の一辺沿いに、該一辺の両端の相対向する二辺間に亘って吸気通路の偏平な開口部を設けることが望ましい。
また、本発明の電子機器装置にあっては、吸気通路の偏平な開口部と平行する集埃用の凹部を、筐体の天面における開口部の直前ないし直下部分に設けることが望ましく、更に、集埃用の凹部に溝型トレイを脱着可能に設けることが望ましい。
【発明の効果】
【００１０】
本発明の電子機器装置は、電源をオンすると、筐体内部のファンが回転し、外気が筐体の天面の開口部から吸気通路を通って筐体内部に吸気され、筐体内部の温度上昇が抑えられるが、このとき、天面に溜まっている埃が外気と共に開口部に吸い寄せられて、開口部のフィルタ部材に吸着されるので、筐体の天面から埃が除去され、周囲に飛散することはない。また、本発明の電子機器装置は、筐体の天板の裏面に絶縁部材を介して帯電手段を設けていないため、帯電手段による電波妨害の恐れやコストアップを招くこともない。
【００１１】
そして、吸気通路の偏平な開口部が、筐体の天面の一辺沿いに、該一辺の両端の相対向する二辺間に亘って設けられていると、天面の全域に溜まっている埃がほぼ均等に開口部に吸い寄せられてフィルタ部材に吸着されるので、天面の全域に亘って埃を除去することができる。
【００１２】
また、吸気通路の偏平な開口部と平行する集埃用の凹部が、筐体の天面における開口部の直前ないし直下部分に設けられていると、開口部のフィルタ部材に吸着される埃の量が多くなったときや、フィルタ部材を掃除するときに、埃がこの集埃用の凹部に落下して溜まり、埃が筐体の天面や周囲に飛散するのを防止することができる。
【００１３】
更に、集埃用の凹部に溝型トレイが脱着可能に設けられていると、埃が溜まった溝型トレイを集埃用の凹部から取り出して埃を捨て、洗浄した溝型トレイを集埃用の凹部に戻すことによって、簡単に埃の廃棄処理や溝型トレイの洗浄を行うことができるので、メンテナンスが容易である。
【図面の簡単な説明】
【００１４】
【図１】本発明の一実施形態に係るＤＶＤレコーダを示す斜視図である。
【図２】同ＤＶＤレコーダの部分断面図である。
【図３】同ＤＶＤレコーダの電気的ブロック構成図である。
【発明を実施するための形態】
【００１５】
以下、図面を参照して、本発明の実施形態を詳述する。
【００１６】
図１は本発明の一実施形態に係るＤＶＤレコーダを示す斜視図、図２は同ＤＶＤレコーダの部分断面図、図３は同ＤＶＤレコーダの電気的ブロック構成図である。
【００１７】
このＤＶＤレコーダは、テレビジョン放送局から放送されるテレビジョン信号を受信して、テレビジョン信号に基づく番組をＤＶＤに録画し、ＤＶＤに録画した番組をディスプレイにより再生するものであって、テレビジョン信号の受信やテレビジョン信号に基づく番組の録画などを行うレコーダ本体１と、ユーザーがＤＶＤレコーダの各種動作を遠隔制御するために操作するリモコン（リモートコントローラ）２とを備えている。
【００１８】
レコーダ本体１は、筐体３、リモコン受光部４、ファン５、吸気ガイド６、フィルタ部材７、溝型トレイ８等を備えたもので、筐体３は板金で箱形に作製されており、その前側面には、ＤＶＤ９を挿入するための挿入口１０とリモコン受光部４が設けられている。そして、筐体３の左側面と右側面には、吸気口１１（図２参照）と排気口１２が形成されており、ファン５が吸気口１１に近接して筐体３の内部に設置されている。
【００１９】
板金製の吸気ガイド６は、筐体３の左側面と天面の左端縁を覆うように隙間をあけて設けられており、この吸気ガイド６によって、筐体３との間に逆Ｌ形の吸気通路１３が形成されている。この吸気通路１３の偏平な先端開口部は、筐体３の天面の左辺沿いに、該左辺の両端の相対向する二辺間、即ち、前後の二辺間に亘って設けられている。先端開口部の上下寸法は、特に限定されないが、数ｍｍ（例えば２ｍｍ）〜１ｃｍ程度であることが好ましい。
【００２０】
この吸気通路１３の偏平な先端開口部には、該先端開口部に合致する寸法の細長いフィルタ部材７が脱着交換可能に装着されている。このフィルタ部材７としては、筐体３の天面に溜まる埃を通さないグレードのものが好ましく使用される。
【００２１】
筐体３の天面には、吸気通路１３の偏平な先端開口部と平行する集埃用の凹部１４が該先端開口部の直前部分に位置して形成されており、この凹部１４には溝型トレイ８が脱着可能に嵌め込まれている。この溝型トレイ８は、筐体３の後方へ引き出すと簡単に凹部１４から取り外すことができ、後方から凹部１４へ挿入すると簡単に取り付けることができるようになっている。なお、集埃用の凹部１４は、吸気通路１３の先端開口部の直下部分に形成してもよく、また、溝型トレイ８は省略してもよい。
【００２２】
このＤＶＤレコーダは、上記の構造的な構成に加えて、図３に示す電気的ブロック構成を有する。即ち、このＤＶＤレコーダ１は、チューナ１６、デコーダ１７、ＤＶＤドライブ１８、制御部１９、リモコン受光部４等をレコーダ本体１の内部に備えており、外部のリモコン２から各種の操作信号が送信されると、リモコン受光部４が操作信号を電気信号によって制御部１９に出力する。
【００２３】
ファン５は、リモコン２からＤＶＤレコーダの電源をオンにする操作信号が出されると、制御部１９による制御のもと、電圧が印加されることによって回転し、リモコン２から電源をオフにする操作信号が出されると、制御部１９による制御のもと、電源がオフになって停止する。また、このＤＶＤレコーダにおいては、リモコン２からファン５の回転数を高める信号が送信されると、制御部１９による制御のもとに、ファン５のモータの回転出力が上昇するようになっている。
【００２４】
チューナ１６は、制御部１９による制御のもと、受信周波数がテレビジョン信号の放送チャンネルに対応する周波数に設定されることにより、そのチャンネルのテレビジョン信号を受信してこれを出力する。また、デコーダ１７は、制御部１９による制御のもと、チューナから出力されたテレビジョン信号をデコード処理して、テレビジョン信号に基づく番組の映像信号及び音声信号を出力する。
【００２５】
そして、ＤＶＤドライブ１８は、制御部１９による制御のもと、デコーダ１７から出力された映像信号及び音声信号をＤＶＤ９に記録し、また、ＤＶＤ９に記録されている映像信号及び音声信号を読み出す。
【００２６】
また、制御部１９は、ＤＶＤレコーダの動作を制御するためのプログラムや各種データを記憶したメモリを有しており、このメモリに記憶しているプログラムや各種データに基づいて、ＤＶＤレコーダの各種動作を制御する。そして、リモコン受光部４から出力される操作信号に基づいて、ユーザーの指示内容を判断し、ユーザーの指示内容に応じて、ＤＶＤレコーダの各種動作を実行する。
【００２７】
以上のような構成のＤＶＤレコーダは、リモコン２から電源をオンにする信号が送信されると、制御部１９による制御のもと、ファン５が回転する。すると、吸気通路１３が負圧になり、外気が吸気通路１３の先端開口部のフィルタ部材７を通過し、吸気通路を通って、吸気口１１から筐体３の内部に吸気され、筐体３内部の熱気と共に、反対側の排気口１２から外部へ排気されるので、筐体３の内部温度の上昇が抑えられる。このようにファン５によって外気を吸い込むと、筐体３の天面に溜まっている埃が、外気と共に吸気通路１３の先端開口部に吸い寄せられて、先端開口部のフィルタ部材７に吸着されるので、筐体３の天面から埃が除去され、周囲に飛散することはない。特に、このＤＶＤレコーダのように、吸気通路１３の偏平な先端開口部が、筐体３の天面の左辺に沿って、前後の二辺間に亘って設けられていると、筐体３の天面の全域に溜まっている埃がほぼ均等に先端開口部に吸い寄せられてフィルタ部材７に吸着されるので、筐体３の天面の全域に亘って埃を除去できる利点がある。また、このＤＶＤレコーダは、筐体３の天板の裏面に絶縁部材を介して帯電手段を設けていないので、帯電手段による電波妨害の恐れやコストアップを招くこともない。
【００２８】
しかも、このＤＶＤレコーダは、吸気通路１３の偏平な先端開口部と平行する集埃用の凹部１４が、筐体３の天面において該先端開口部の直前部分に設けられ、この凹部１４に溝型トレイ８が脱着可能に嵌め込まれているので、先端開口部のフィルタ部材７に吸着される埃の量が多くなったときや、フィルタ部材７を掃除するときに、埃が溝型トレイ８に落下して溜まり、筐体３の天面や周囲に飛散するのを防止することができる。そして、埃が溜まった溝型トレイ８を集埃用の凹部１４から取り出して埃を捨て、洗浄した溝型トレイ８を集埃用の凹部に戻すことによって、簡単に埃の廃棄処理や溝型トレイ８の洗浄を行うことができるので、メンテナンスが容易である。
なお、溝型トレイ８を取り付けない場合でも、フィルタ部材７から落下した埃は、飛散することなく集埃用の凹部１４に溜まるので、凹部１４を掃除することによって簡単に埃の廃棄処理をすることができる。
【００２９】
また、このＤＶＤレコーダは、前述したようにリモコン２の操作でファン５の回転数を上げることができるので、例えば、フィルタ部材７による埃の吸着量が増え、それが原因で吸気量が減少して筐体３の内部温度が上昇するような場合でも、ファン５の回転数を上げて吸気量を多くし、筐体内部の温度上昇を抑えることが可能である。
【００３０】
なお、吸気ガイド６に、開閉が自在で且つ開口面積を増減調節できる吸気口を設けると、上記のように筐体３の内部温度が上昇するようになった場合に、吸気口を開いて開口面積を調節することにより、吸気量を最適に調節して、フィルタ部材７による埃の吸着を妨げることなく、筐体３の内部温度の上昇を抑えることが可能となるので好ましい。
【００３１】
以上、ＤＶＤレコーダを例にとって本発明の実施形態を説明したが、本発明はＤＶＤレコーダに限定されるものではなく、ＤＶＤプレーヤ、ディスクトップ型パソコン、その他の天面に埃が溜まりやすい各種の電子機器装置に適用できるものであることは言うまでもない。
【符号の説明】
【００３２】
１    レコーダ本体
２    リモコン
３    筐体
４    リモコン受光部
５    ファン
７    フィルタ部材
８    溝型トレイ
９    ＤＶＤ
１１  吸気口
１２  排気口
１３  吸気通路
１４  集埃用の凹部
【図１】
2014002809.tif 000003
【図２】
2014002809.tif 000004
【図３】
2014002809.tif 000005